【手続補正書】
【提出日】平成24年2月1日(2012.2.1)
【手続補正１】
【補正対象書類名】特許請求の範囲
【補正対象項目名】全文
【補正方法】変更
【補正の内容】
【特許請求の範囲】
【請求項１】
不連続受信のための方法であって、
少なくとも１つの不連続受信（ＤＲＸ）モードのうちの１つまたはＮＯ  ＤＲＸモードで動作することと、
前記ＮＯ  ＤＲＸモードから前記ＤＲＸモードに遷移することと、
を備える方法。
【請求項２】
前記少なくとも１つのＤＲＸモードは、データまたはシグナリング、またはデータとシグナリングの両方を無線ネットワークから受信するために使用可能な異なるサブフレームに関連付けられた複数のＤＲＸモードを備える、請求項１に記載の方法。
【請求項３】
前記少なくとも１つのＤＲＸモードは第１のＤＲＸモードを備え、前記第１のＤＲＸモードにおいて、ダウンリンクに利用可能なサブフレームの部分集合に対応する第１の有効化されたサブフレームでシグナリングを受信することと、前記第１の有効化されたサブフレームでデータを受信することと、を備える、請求項１に記載の方法。
【請求項４】
前記少なくとも１つのＤＲＸモードは、シグナリングおよびデータがダウンリンク上で受信されないＤＲＸモードを備える、請求項１に記載の方法。
【請求項５】
Ｔ１，Ｔ２、Ｒおよびオフセットの一構成が無線ネットワークから受信され、Ｔ１は第１のＤＲＸモードに対する第１の有効化されたサブフレーム間の間隔を定義し、Ｔ２は第２のＤＲＸモードに対する第２の有効化されたサブフレーム間の間隔を定義し、ＲはＤＲＸモードに対する第２の有効化されたサブフレーム間の間隔を定義し、そして前記Ｔ１有効化、Ｔ２有効化、およびＲ有効化サブフレームは基準時間からのオフセットによって識別される、請求項１に記載の方法。
【請求項６】
シグナリングに基づいてアクティブモードと連続的パケット接続性（ＣＰＣ）モードとの間を遷移することをさらに備え、前記ＣＰＣモードは前記少なくとも１つのＤＲＸモードを備え、前記アクティブモードは前記ＮＯ  ＤＲＸモードを備える、請求項１に記載の方法。
【請求項７】
前記少なくとも１つのＤＲＸモードは、第２のＤＲＸモードを備え、そして、前記第２のＤＲＸモードにおいて、前記第１の有効化されたサブフレームの部分集合に対応する第２の有効化されたサブフレームでシグナリングが受信される、請求項３に記載の方法。
【請求項８】
前記第１の有効化されたサブフレームは、Ｒサブフレームの間隔で相隔てられ、ここにおいて、Ｒは構成可能なパラメータである、請求項３に記載の方法。
【請求項９】
前記Ｔ１有効化、Ｔ２有効化、およびＲ有効化サブフレームは、ライズ・オーバー・サーマルを低減するために、時間整合される、請求項５に記載の方法。
【請求項１０】
不連続受信のための装置であって、
少なくとも１つの不連続受信（ＤＲＸ）モードのうちの１つまたはＮＯ  ＤＲＸモードで動作するための手段と、
前記ＮＯ  ＤＲＸモードから前記ＤＲＸモードに遷移するための手段と、
を備える装置。
【請求項１１】
前記少なくとも１つのＤＲＸモードは、データまたはシグナリング、またはデータとシグナリングの両方を無線ネットワークから受信するために使用可能な異なるサブフレームに関連付けられた複数のＤＲＸモードを備える、請求項１０に記載の装置。
【請求項１２】
前記少なくとも１つのＤＲＸモードは第１のＤＲＸモードを備え、前記第１のＤＲＸモードにおいて、ダウンリンクに利用可能なサブフレームの部分集合に対応する第１の有効化されたサブフレームでシグナリングを受信することと、前記第１の有効化されたサブフレームでデータを受信することと、を備える、請求項１０に記載の装置。
【請求項１３】
前記少なくとも１つのＤＲＸモードは、シグナリングおよびデータがダウンリンク上で受信されないＤＲＸモードを備える、請求項１０に記載の方装置。
【請求項１４】
Ｔ１，Ｔ２、Ｒおよびオフセットの一構成を無線ネットワークから受信するための手段をさらに備え、Ｔ１は第１のＤＲＸモードに対する第１の有効化されたサブフレーム間の間隔を定義し、Ｔ２は第２のＤＲＸモードに対する第２の有効化されたサブフレーム間の間隔を定義し、ＲはＤＲＸモードに対する第２の有効化されたサブフレーム間の間隔を定義し、そして前記Ｔ１有効化、Ｔ２有効化、およびＲ有効化サブフレームは基準時間からのオフセットによって識別される、請求項１０に記載の装置。
【請求項１５】
シグナリングに基づいてアクティブモードと連続的パケット接続性（ＣＰＣ）モードとの間を遷移するための手段をさらに備え、前記ＣＰＣモードは前記少なくとも１つのＤＲＸモードを備え、前記アクティブモードはＮＯ  ＤＲＸモードを備える、請求項１０に記載の装置。
【請求項１６】
前記少なくとも１つのＤＲＸモードは、第２のＤＲＸモードを備え、そして、前記第２のＤＲＸモードにおいて、前記第１の有効化されたサブフレームの部分集合に対応する第２の有効化されたサブフレームでシグナリングが受信される、請求項１２に記載の装置。
【請求項１７】
前記第１の有効化されたサブフレームは、Ｒサブフレームの間隔で相隔てられ、Ｒは構成可能なパラメータである、請求項１２に記載の装置。
【請求項１８】
前記Ｔ１有効化、Ｔ２有効化、およびＲ有効化サブフレームは、ライズ・オーバー・サーマルを低減するために、時間整合される、請求項１４に記載の装置。
【請求項１９】
不連続受信のための装置であって、
少なくとも１つの不連続受信（ＤＲＸ）モードのうちの１つまたはＮＯ  ＤＲＸモードで動作し、かつ前記ＮＯ  ＤＲＸモードから前記ＤＲＸモードに遷移するように適合された少なくとも１つのプロセッサと、
前記少なくとも１つのプロセッサに結合されたメモリと、
を備える装置。
【請求項２０】
前記少なくとも１つのＤＲＸモードは、データまたはシグナリング、またはデータとシグナリングの両方を無線ネットワークから受信するために使用可能な異なるサブフレームに関連付けられた複数のＤＲＸモードを備える、請求項１９に記載の装置。
【請求項２１】
前記少なくとも１つのＤＲＸモードは第１のＤＲＸモードを備え、前記第１のＤＲＸモードにおいて、ダウンリンクに利用可能なサブフレームの部分集合に対応する第１の有効化されたサブフレームでシグナリングを受信することと、前記第１の有効化されたサブフレームでデータを受信することと、を備える、請求項１９に記載の装置。
【請求項２２】
前記少なくとも１つのＤＲＸモードは、シグナリングおよびデータがダウンリンク上で受信されないＤＲＸモードを備える、請求項１９に記載の装置。
【請求項２３】
Ｔ１，Ｔ２、Ｒおよびオフセットの一構成を無線ネットワークから受信するようにさらに適合され、Ｔ１は第１のＤＲＸモードに対する第１の有効化されたサブフレーム間の間隔を定義し、Ｔ２は第２のＤＲＸモードに対する第２の有効化されたサブフレーム間の間隔を定義し、ＲはＤＲＸモードに対する第２の有効化されたサブフレーム間の間隔を定義し、そして前記Ｔ１有効化、Ｔ２有効化、およびＲ有効化サブフレームは基準時間からのオフセットによって識別される、請求項１９に記載の装置。
【請求項２４】
シグナリングに基づいてアクティブモードと連続的パケット接続性（ＣＰＣ）モードとの間を遷移するようにさらに適合され、前記ＣＰＣモードは前記少なくとも１つのＤＲＸモードを備え、前記アクティブモードは前記ＮＯ  ＤＲＸモードを備える、請求項１９に記載の装置。
【請求項２５】
前記少なくとも１つのＤＲＸモードは、第２のＤＲＸモードを備え、そして、前記第２のＤＲＸモードにおいて、前記第１の有効化されたサブフレームの部分集合に対応する第２の有効化されたサブフレームでシグナリングが受信される、請求項２１に記載の装置。
【請求項２６】
前記第１の有効化されたサブフレームは、Ｒサブフレームの間隔で相隔てられ、Ｒは構成可能なパラメータである、請求項２１に記載の装置。
【請求項２７】
前記Ｔ１有効化、Ｔ２有効化、およびＲ有効化サブフレームは、ライズ・オーバー・サーマルを低減するために、時間整合される、請求項２３に記載の装置。